(57)【特許請求の範囲】
【請求項１】
開き戸であるドア側に取り付けられるアーム部材(1)と、このドアに対する固定側に取り付けられる受具(2)とから成り、アーム部材(1)には、ドアの内面に対し起倒するアーム(13)が備えられ、受具(2)には、固定側に取り付けられる受座(21)から突出する受軸(23)が備えられ、アーム(13)には、ドアを閉じた状態で受軸(23)の頭部が挿脱可能な挿脱穴(14)と、ドアの開閉に伴い、受軸(23)が係合しつつ相対的にスライドするスライド穴(15)とが基端側から先端側へ順次連通して形成されたドアガードにおいて、
前記受具(2)には、前記受座(21)に前記受軸(23)とは別体となったレバー状のロックスイッチ(24)が備えられ、前記ロックスイッチ(24)は、前記受座(21)から突出した突出位置と、前記受座(21)に収められた退入位置とに切り替えられるようになっており、
ドアが閉止された状態でアーム(13)を起立させ、ロックスイッチ(24)を突出位置とすると、ロックスイッチ(24)がアーム(13)の挿脱穴(14)に挿入され、その状態でドアを開こうとすると、ロックスイッチ(24)がアーム(13)の挿脱穴(14)とスライド穴(15)の境界の基端段部(16)に当接して、ドアの開きが阻止されるロック状態となり、
ロックスイッチ(24)を退入位置として、ドアが閉止された状態で、アーム(13)を起立させると、ロックスイッチ(24)がアーム(13)に干渉することなく、ドアが一定範囲の開度で開閉可能な用心状態となり、
ドアが閉止された状態で、アーム(13)を倒伏させると、ドアが自由に開閉可能な状態となることを特徴とするロック機能付きドアガード。
【請求項２】
請求項１に記載のロック機能付きドアガードにおいて、前記受具(2)には回転軸(22)が設けられ、前記ロックスイッチ(24)と前記受軸(23)は、前記回転軸(22)を共通の回動中心とする回動によって、それぞれ突出位置と退入位置とに切り替えられることを特徴とするロック機能付きドアガード。
【請求項３】
請求項１又は２に記載のロック機能付きドアガードにおいて、前記アーム(13)の先端側に、用心状態としてドアを一定範囲の開度に開いた状態で、受軸(23)の頭部の側面が当接する先端段部(17)が形成され、この当接により、スライド穴(15)と受軸(23)との相対移動が阻止され、ドアの閉止方向への回動が阻止された採風状態となることを特徴とするロック機能付きドアガード。
【発明の詳細な説明】
【技術分野】
【０００１】
この発明は、ドアの開度を一定範囲に制限して不審者の侵入を阻止するドアガードに、簡易な補助的戸締りが可能なロック機能を付加したものに関する。
【背景技術】
【０００２】
一般に、ドアガードは、開閉するドア側に取り付けられるアーム部材と、このドアに対する固定側に取り付けられる受具とから成り、アーム部材には起倒自在のアームが備えられ、受具には固定側から突出する受軸が備えられている。
【０００３】
そして、ドアが閉止された状態でアームを起立させ、受軸をアームの挿脱穴に挿入し、ドアを開こうとすると、受軸の頭部がスライド穴に係合しつつ、受軸がスライド穴に沿って相対的にスライドし、スライド穴の閉塞端に当接してドアの開度が一定範囲に制限される用心状態となる。また、アームがドアの内面に沿って倒伏し、アームと受軸とが係合していない状態では、ドアは自由に開閉可能な状態となる。
【０００４】
また、下記特許文献１，２には、用心状態において、屋外側からアームと受軸の係合を不正に解除してドアを開けられないようにするため、起立状態にあるアームを倒伏させる際、アームをドア側へ押しながら回転させなければならない機構を採用したドアガードが記載されている。
【０００５】
また、下記特許文献３，４には、ドアを用心状態でドアクローザーによる閉止方向への付勢力に抗して一定開度に保持し、採風効果を得るため、アームの先端側に受軸の頭部の側面が当接する段部を設けたドアガードが記載されている。
【先行技術文献】
【特許文献】
【０００６】
【特許文献１】特開２００５−１３３３７４号公報
【特許文献２】特開２００５−２４８５５１号公報
【特許文献３】実公平３−４７００号公報
【特許文献４】特開２０００−１４５２４７号公報
【発明の概要】
【発明が解決しようとする課題】
【０００７】
ところで、在宅している状況での保安性を高めるため、ドアを用心状態にすると共に、シリンダ錠等の本来の錠を掛けることなく、ドアが殆ど開かない簡易的なロック状態とする機能や、錠が破壊された場合の補助錠の機能がドアガードに求められているところ、上記特許文献に記載されたドアガードは、そのような機能を有していない。
【０００８】
そこで、この発明は、簡易な補助的戸締りが可能なロック機能を有するドアガードを提供しようとするものである。
【課題を解決するための手段】
【０００９】
上記のような課題を解決するため、この発明は、開き戸であるドア側に取り付けられるアーム部材と、このドアに対する固定側に取り付けられる受具とから成り、アーム部材には、ドアの内面に対し起倒するアームが備えられ、受具には、固定側に取り付けられる受座から突出する受軸が備えられ、アームには、ドアを閉じた状態で受軸の頭部が挿脱可能な挿脱穴と、ドアの開閉に伴い、受軸が係合しつつ相対的にスライドするスライド穴とが基端側から先端側へ順次連通して形成されたドアガードにおいて、前記受具には、前記受座に前記受軸とは別体となったレバー状のロックスイッチが備えられ、前記ロックスイッチは、前記受座から突出した突出位置と、前記受座に収められた退入位置とに切り替えられるようになっており、ドアが閉止された状態でアームを起立させ、ロックスイッチを突出位置とすると、ロックスイッチがアームの挿脱穴に挿入され、その状態でドアを開こうとすると、ロックスイッチがアームの挿脱穴とスライド穴の境界の基端段部に当接して、ドアの開きが阻止されるロック状態となり、ロックスイッチを退入位置として、ドアが閉止された状態で、アームを起立させると、ロックスイッチがアームに干渉することなく、ドアが一定範囲の開度で開閉可能な用心状態となり、ドアが閉止された状態で、アームを倒伏させると、ドアが自由に開閉可能な状態となる構成としたのである。
【００１０】
また、このロック機能付きドアガードにおいて、前記受具には回転軸が設けられ、前記ロックスイッチと前記受軸は、前記回転軸を共通の回動中心とする回動によって、それぞれ突出位置と退入位置とに切り替えられるものとしたのである。
【００１１】
また、このロック機能付きドアガードにおいて、前記アームの先端側に、用心状態としてドアを一定範囲の開度に開いた状態で、受軸の頭部の側面が当接する先端段部が形成され、この当接により、スライド穴と受軸との相対移動が阻止され、ドアの閉止方向への回動が阻止された採風状態となるものとしたのである。
【発明の効果】
【００１２】
この発明に係るロック機能付きドアガードでは、ドアが閉止された状態でアームを起立させ、ロックスイッチを突出位置とするだけで、ドアを開こうとしたとき、アームの挿脱穴に挿入されたロックスイッチが挿脱穴とスライド穴の境界の基端段部に当接し、ロックスイッチのスライド穴への進入が阻止され、ドアの開きが阻止されるロック状態となるので、屋内側から簡易な補助的戸締りが可能となり、アームと受軸との係合による用心状態の機能と併せて、在宅時の保安性を高めることができる。
【００１３】
また、用心状態とするためアームに係合する受軸を、ロックスイッチと共通の回転軸を中心として、突出位置と退入位置とに切り替えられるようにすると、構造の簡素化を図りつつ、ドアガードを使用しない場合、受軸を退入位置としておくことにより、衣服に受軸が引っ掛かったりする不都合を防止することができる。
【００１４】
また、アームの先端側に、用心状態でドアを一定範囲の開度に開いたとき、受軸の頭部の側面が当接して、ドアの閉止方向への回動が阻止される先端段部を形成しておくと、ドアをドアクローザーによる閉止方向への付勢力に抗して一定開度に保持することができ、防犯効果を得ながら採風効果を得ることができる。
【図面の簡単な説明】
【００１５】
【図１】この発明の第１実施形態に係るロック機能付きドアガードを通常の用心状態で使用する場合の（ａ）平面図、（ｂ）受具の正面図
【図２】同上のアーム部材の（ａ）アーム倒伏状態を示す正面図、（ｂ）（ａ）のＡ−Ａ断面図、（ｃ）（ａ）のＢ−Ｂ断面図
【図３】同上の受具の（ａ）受軸が突出しロックスイッチが退入した状態を示す平面図、（ｂ）（ａ）の受軸が突出・退入する動作を示す正面図、（ｃ）受軸及びロックスイッチが共に突出した状態を示す平面図、（ｄ）（ｃ）のロックスイッチが突出・退入する動作を示す正面図
【図４】同上のドアガードのロック状態を示す（ａ）平面図、（ｂ）受具とアームの関係を示す正面図
【図５】同上のドアガードの採風状態を示す平面図
【図６】この発明の第２実施形態に係るロック機能付きドアガードを通常の用心状態で使用する場合の（ａ）平面図、（ｂ）受具の正面図
【図７】同上のアーム部材の（ａ）アーム倒伏状態を示す正面図、（ｂ）（ａ）のＡ−Ａ断面図、（ｃ）（ａ）のＢ−Ｂ断面図
【図８】同上の受具の（ａ）受軸が突出しロックスイッチが退入して受軸が固定された状態を示す正面図、（ｂ）（ａ）のＡ−Ａ断面図、（ｃ）受軸及びロックスイッチが共に退入した状態を示す正面図、（ｄ）受軸及びロックスイッチが共に突出した状態を示す正面図、（ｅ）（ｄ）のＡ−Ａ断面図
【図９】同上のドアガードのロック状態を示す（ａ）平面図、（ｂ）受具とアームの関係を示す正面図
【図１０】同上のドアガードの採風状態を示す平面図
【発明を実施するための形態】
【００１６】
まず、この発明の第１実施形態を図１〜図５に基づいて説明する。
【００１７】
このドアガードは、図１に示すように、片開きの開閉するドアＤに取り付けられるアーム部材１と、建物に固定されたドア枠Ｆに取り付けられる受具２とから構成される。
【００１８】
アーム部材１は、ドアＤの内面に固定される台座１１に、垂直方向の回転軸１２を介してアーム１３を組み付け、アーム１３が水平面内でドアＤの内面に対し起倒自在となるようにしたものである。受具２は、ドア枠Ｆに固定される受座２１に、水平方向の回転軸２２を介して受軸２３及びロックスイッチ２４をそれぞれ垂直面内で回動自在に組み付けたものとされている。
【００１９】
アーム部材１のアーム１３は、図２に示すように、側面視Ｕ字状で、開放端である基端側に挿脱穴１４が形成され、挿脱穴１４から閉塞端である先端側へかけてスライド穴１５が連通して形成されている。挿脱穴１４は、後述のように、受軸２３の頭部が挿脱可能な大きさとされ、スライド穴１５は、受軸２３の頭部が係合する上下幅とされている。そして、挿脱穴１４とスライド穴１５の境界には、基端段部１６が形成されている。アーム１３の先端側はクランク状をなし、起倒動作の内側面に先端段部１７が形成されている。
【００２０】
また、受具２において、図３に示すように、ロックスイッチ２４は、先端側に湾曲した摘み部を有するレバー状とされている。そして、受軸２３及びロックスイッチ２４は、回転軸２２を中心とする回動に伴い、受座２１から水平に突出した突出位置と、垂直に起立して受座２１に収められた退入位置とに切り替えられるようになっている。
【００２１】
上記のようなドアガードでは、図１に示すように、受具２の受軸２３を突出位置とし、ロックスイッチ２４を退入位置として、ドアＤが閉止された状態でアーム部材１のアーム１３を起立させ、受軸２３をアーム１３の挿脱穴１４に挿入すると、ドアＤを開こうとしたとき、受軸２３の頭部がスライド穴１５に係合しつつ、受軸２３がスライド穴１５に沿って相対的にスライドし、スライド穴１５の閉塞端に当接して、ドアＤの開度が一定範囲に制限される用心状態となり、不審者の屋内への侵入を防止できる。
【００２２】
また、このような用心機能を使用しない場合には、ドアＤが閉止された状態で、アーム１３をドアＤの内面に沿って倒伏させ、これに伴い、挿脱穴１４から受軸２３を離脱させて、アーム１３と受軸２３との係合が解除された状態とし、ドアＤを自由に開閉できるようにする。このとき、受軸２３を退入位置にはね上げておくと、ドアＤを開けて出入りする際、受軸２３に衣服が引っ掛かったりすることがない。
【００２３】
また、図４に示すように、上記用心状態からロックスイッチ２４を水平方向へ倒して突出位置とすると、ロックスイッチ２４がアーム１３の挿脱穴１４に挿入され、その状態でドアＤを開こうとした場合、ロックスイッチ２４がアーム１３の挿脱穴１４とスライド穴１５の境界の基端段部１６に当接して、ロックスイッチ２４のスライド穴１５への進入が阻止され、ドアＤが殆ど開かないロック状態となる。
【００２４】
このロック状態では、ドアＤとドア枠Ｆの間に手や器具を差し込んでアーム１３を倒すことができず、屋内側から簡易的に戸締りされた状態となり、アーム１３と受軸２３との係合による用心機能と併せて、在宅時の保安性を高めることができる。
【００２５】
そのほか、図５に示すように、上記用心状態でドアＤを受軸２３がスライド穴１５の閉塞端付近に達するまで開き、アーム１３を少しドアＤの方向へ倒すと、受軸２３の頭部の側面がアーム１３の先端段部１７に当接し、ドアＤがドアクローザーによる閉止方向への付勢力に抗して一定開度に保持される採風状態となり、用心状態の防犯効果を得ながら採風効果を得ることができる。
【００２６】
次に、この発明の第２実施形態を図６〜図１０に基づいて説明する。
【００２７】
このドアガードは、図６に示すように、両開きドアＤ１，Ｄ２のうち、通常開閉するドアＤ１に取り付けられるアーム部材１と、通常閉じた状態に固定しておくドアＤ２に取り付けられる受具２とから構成される。
【００２８】
アーム部材１は、ドアＤ１の内面に固定される台座１１に、垂直方向の回転軸１２を介してアーム１３を組み付け、アーム１３が水平面内でドアＤ１の内面に対し起倒自在となるようにしたものである。受具２は、ドアＤ２に固定される受座２１に、垂直方向の回転軸２２を介して受軸２３及びロックスイッチ２４をそれぞれ水平面内で回動自在に組み付けたものとされている。
【００２９】
アーム部材１のアーム１３は、図７に示すように、側面視Ｕ字状で、開放端である基端側に挿脱穴１４が形成され、挿脱穴１４から閉塞端である先端側へかけてスライド穴１５が連通して形成されている。挿脱穴１４は、後述のように、受軸２３の頭部が挿脱可能な大きさとされ、スライド穴１５は、受軸２３の頭部が係合する上下幅とされている。そして、挿脱穴１４とスライド穴１５の境界には、基端段部１６が形成されている。アーム１３の先端側はクランク状をなし、起倒動作の内側面に先端段部１７が形成されている。
【００３０】
また、受具２において、図８に示すように、受座２１のブラケット部分がＬ字状に曲がり、ロックスイッチ２４は、立面視で上下に舌片を有し先端側で舌片が繋がったレバー状とされている。そして、受軸２３及びロックスイッチ２４は、回転軸２２を中心とする回動に伴い、受座２１から水平に突出した突出位置と、同じ水平面内で受座２１に収められた退入位置とに切り替えられるようになっている。
【００３１】
また、ロックスイッチ２４は、側方にスライドできるようになっており、そのスライドに伴い、ロックスイッチ２４の回転軸２２側の部分が受軸２３の基部と受座２１の間に入り込むようにすると、受軸２３を突出位置に固定できる。このとき、ロックスイッチ２４の回動も阻止される。なお、受具２には、受軸２３を突出位置及び退入位置でそれぞれ安定させるため、板ばねと凹所によるクリックストップ機構が設けられている。
【００３２】
上記のようなドアガードでは、図６に示すように、受具２の受軸２３を突出位置とし、ロックスイッチ２４を退入位置として、ドアＤ１が閉止された状態でアーム部材１のアーム１３を起立させ、受軸２３をアーム１３の挿脱穴１４に挿入すると、ドアＤ１を開こうとしたとき、受軸２３の頭部がスライド穴１５に係合しつつ、受軸２３がスライド穴１５に沿って相対的にスライドし、スライド穴１５の閉塞端に当接して、ドアＤ１の開度が一定範囲に制限される用心状態となり、不審者の屋内への侵入を防止できる。
【００３３】
また、このような用心機能を使用しない場合には、ドアＤ１が閉止された状態で、アーム１３をドアＤ１の内面に沿って倒伏させ、これに伴い、挿脱穴１４から受軸２３を離脱させて、アーム１３と受軸２３との係合が解除された状態とし、ドアＤ１を自由に開閉できるようにする。このとき、受軸２３を退入位置に回動させておくと、ドアＤ１を開けて出入りする際、受軸２３に衣服が引っ掛かったりすることがない。
【００３４】
また、図９に示すように、上記用心状態からロックスイッチ２４を水平面内で回動させて突出位置とすると、ロックスイッチ２４がアーム１３の挿脱穴１４に挿入され、その状態でドアＤ１を開こうとした場合、ロックスイッチ２４がアーム１３の挿脱穴１４とスライド穴１５の境界の基端段部１６に当接して、ロックスイッチ２４のスライド穴１５への進入が阻止され、ドアＤ１が殆ど開かないロック状態となる。
【００３５】
このロック状態では、ドアＤ１とドアＤ２の間に手や器具を差し込んでアーム１３を倒すことができず、屋内側から簡易的に戸締りされた状態となり、アーム１３と受軸２３との係合による用心機能と併せて、在宅時の保安性を高めることができる。
【００３６】
そのほか、図１０に示すように、上記用心状態でドアＤ１を受軸２３がスライド穴１５の閉塞端付近に達するまで開き、アーム１３を少しドアＤ１の方向へ倒すと、受軸２３の頭部の側面がアーム１３の先端段部１７に当接し、ドアＤ１がドアクローザーによる閉止方向への付勢力に抗して一定開度に保持される採風状態となり、用心状態の防犯効果を得ながら採風効果を得ることができる。
【符号の説明】
【００３７】
１  アーム部材
２  受具
１１  台座
１２  回転軸
１３  アーム
１４  挿脱穴
１５  スライド穴
１６  基端段部
１７  先端段部
２１  受座
２２  回転軸
２３  受軸
２４  ロックスイッチ
Ｄ，Ｄ１，Ｄ２  ドア
Ｆ  ドア枠
【図１】
0006678013.tif 000002
【図２】
0006678013.tif 000003
【図３】
0006678013.tif 000004
【図４】
0006678013.tif 000005
【図５】
0006678013.tif 000006
【図６】
0006678013.tif 000007
【図７】
0006678013.tif 000008
【図８】
0006678013.tif 000009
【図９】
0006678013.tif 000010
【図１０】
0006678013.tif 000011